(57)【特許請求の範囲】
【請求項１】
ベースで支持された座と着座した人がもたれ掛かり得る背もたれとを備えており、
前記座は、合成樹脂製の座インナーシェルの上面をクッション材で覆った構造であり、前記背もたれが後傾動すると座が上昇する構成であって、
前記座の前部は下向きに曲がっており、
前記座インナーシェルの前部に、前記背もたれの後傾動に連動して座が上昇したときに前記座インナーシェルの前端に対して相対的に下向き回動することを許容する左右横長の変形許容部が、前記座インナーシェルの前部に上下開口の分断スリットを設けることによって形成されており、
前記分断スリットを、前記座インナーシェルの左右両端近傍まで延びる左右横長部とこの左右横長部の左右両端から連続して後ろ向きに延びる前後長手のサイド部とを有する略コ字状に形成することにより、前記変形許容部を、前端が下向き動するように変形し得る舌状に形成しており、かつ、
前記座は、前記変形許容部よりも後ろの部位が前記ベースで支持されている、
椅子。
【請求項２】
前記座インナーシェルの外周部は、ループ状の枠部を含み、
前記分断スリットは、前記枠部の内周の一部に倣うように形成されている、
請求項１に記載した椅子。
【発明の詳細な説明】
【技術分野】
【０００１】
本願発明は、ロッキング時に座が上昇するタイプの椅子に関するものであり、特に、座の構造に特徴を有している。
【背景技術】
【０００２】
背もたれが弾性体の抵抗に抗して後傾動するロッキング椅子において、ロッキング時に座を上昇させる（持ち上げる）ことにより、ロッキングに対する抵抗を使用者の体重に比例させる（感応させる）ことが行われている（例えば特許文献１）。
【先行技術文献】
【特許文献】
【０００３】
【特許文献１】特開２０１３−１５３８６８号公報
【発明の概要】
【発明が解決しようとする課題】
【０００４】
この体重感応タイプでは、ロッキングに対する抵抗が使用者の体重に比例するため、体重が異なる人に同じ程度のロッキング抵抗（硬さ）を与えることができると共に、ばね等の弾性体も小型化することができる。このため、弾性体としてゴム（チェラスト）を使用することも容易になるという利点がある。
【０００５】
他方、椅子の座は、足を床面につけた状態で大腿部と座面との間に若干の隙間が空くような高さに設定していることが多いが、座がロッキング時に上昇すると、座の前端部で使用者の大腿部を突き上げることがある。ロッキング時の体重感応性を高めるには座の上昇量を大きくするのが好ましいが、座の上昇量が大きくなると、大腿部の突き上げ現象も顕著に表れることになる。
【０００６】
本願発明は、このような現状を改善すべく成されたものである。
【課題を解決するための手段】
【０００７】
本願発明は、
「ベースで支持された座と、着座した人がもたれ掛かり得る背もたれとを備えており、前記座は、合成樹脂製の座インナーシェルの上面をクッション材で覆った構造であり、前記背もたれが後傾動すると前記座が上昇する」
という基本構成において、
「前記座インナーシェルの前部に、前記背もたれの後傾動に連動して座が上昇したときに前記座インナーシェルの前端に対して相対的に下向き回動することを許容する左右横長の変形許容部が、前記座インナーシェルの前部に上下開口の分断スリットを設けることによって形成されており、
前記分断スリットを、前記座インナーシェルの左右両端近傍まで延びる左右横長部とこの左右横長部の左右両端から連続して後ろ向きに延びる前後長手のサイド部とを有する略コ字状に形成することにより、前記変形許容部を、前端が下向き動するように変形し得る舌状に形成しており、かつ、
前記座は、前記変形許容部よりも後ろの部位が前記ベースで支持されている」
という特徴を有している。
【０００８】
請求項１の構成の展開例として請求項２では、
「前記座インナーシェルの外周部は、ループ状の枠部を含み、
前記分断スリットは、前記枠部の内周の一部に倣うように形成されている」
という構成になっている。
【発明の効果】
【０００９】
本願発明では、座インナーシェルの前部が変形許容部になっているため、ロッキングに際して座インナーシェルが上昇したとき、変形許容部は、弾性変形することにより、着座者の大腿部で押さえられた状態に保持されて、大きく上昇することが防止又は抑制される。これにより、着座者が大腿部を突き上げられることを防止して快適な座り心地を得ることができる。
【００１０】
なお、ロッキング時に座インナーシェルの前端は上昇するが、座インナーシェルの前部は下向きに曲がっていて、前端は大腿部から逃げるようにかなり下に位置しているため、上昇しても大腿部を突き上げるには至らない。また、変形許容部はクッションを介して大腿部で押されているため、変形許容部自体による突き上げ現象も生じない。
【００１１】
変形許容部は、例えば縦断側面視で山形や波形の弱化部によって形成することも可能であるが、この場合は、成形のための金型の構造が複雑になる問題や、クッション材の支持安定性が悪くなる等の問題が懸念される。また、変形の確実性（変形許容部を挟んだ後ろが弾性変形して曲がることの確実性）に劣るおそれもある。
【００１２】
これに対して本願発明のように、変形許容部を平面視コ字形の分断スリットによって舌状に形成すると、変形許容部は容易に変形するため、簡単な構造で変形を確実化できると共に、製造のための金型の構造も簡単化してコスト抑制にも貢献できる利点がある。従って、座の上昇量が大きくても大腿部の突き上げ現象を的確に阻止できる。
【図面の簡単な説明】
【００１３】
【図１】実施形態に係る椅子を前方から見た斜視図であり、（Ａ）は可撓性シートを表示したもの、（Ｂ）は可撓性シートを省略したものである。
【図２】第１実施形態に係る椅子を後方から見た斜視図であり、（Ａ）は可撓性シートを表示したもの、（Ｂ）は可撓性シートを省略したものである。
【図３】（Ａ）は分離斜視図、（Ｂ）は側面図である。
【図４】分離斜視図である。
【図５】座部を中心にしたおおまかな縦断側面図である。
【図６】（Ａ）は第１連動リンクとリアブロックとの分離斜視図、（Ｂ）は第１連動リンクをリアブロックに取り付けた状態の斜視図、（Ｃ）は部分的な側面図である。
【図７】（Ａ）は座インナーシェルと座アウターシェルとを上方から見た分離斜視図、（Ｂ）は座インナーシェルの平面図である。
【図８】（Ａ）は座インナーシェルの側面図、（Ｂ）は座インナーシェルと座アウターシェルとの下方から見た分離斜視図、（Ｃ）は座の前部の縦断側面図（図５の部分拡大図）である。
【発明を実施するための形態】
【００１４】
次に、本願発明の実施形態を図面に基づいて説明する。本願では、方向を特定するため左右・前後の文言を使用しているが、これは、椅子に普通に腰掛けた人を基準にしている。正面図は着座した人と対向した方向である。念のため、図１に方向を明示している。
【００１５】
本実施形態は、オフィスで多用されている回転椅子に適用している。また、本実施形態の椅子は、人が着座すると背もたれの下部が前進するタイプである。
【００１６】
(1).椅子の概要・座の下降機構
まず、図１〜５を参照して、椅子の概略と座の動きとを説明する。図１のとおり、椅子は、主要要素として、脚装置１、座２、背もたれ３を備えている。脚１は、ガスシリンダより成る脚支柱４と放射方向に延びる枝部５とを有しており、各枝部５の先端にはキャスタを設けている。図４に示すように、脚支柱４の上端には、上向きに開口した略箱状のベース６が固定されている。
【００１７】
ベース６の前端部には、樹脂製やアルミダイキャスト製のフロントブロック７がボルトで固定されており、フロントブロック７には、左右一対のフロントリンク８が回動可能に取り付けられている。フロントリンク８は、人が着座していないニュートラル状態で、側面視で鉛直線に対して少し後傾しており、人が着座すると後傾する。後傾角度の規制は、図６から理解できるように、回転軸９に設けたストッパー１０が、フロントブロック７の内部に設けた凹所１１の底面に当たることによって行われている。フロントリンク８は、図示しないばねにより、ニュートラル状態に戻るように付勢されている。
【００１８】
また、図４，５に示すように、ベース６は左右側板６ａを備えており、ベース６の内部に、左右側板１２ａを有する傾動体１２が配置されている。傾動体１２は、左右長手の支軸１３によってベース６に回動自在に連結されている。
【００１９】
図５に示すように、傾動体１２の後部はベース６の後ろにはみ出ており、傾動体１２の後部にリアブロック１４が固定されている。そして、図４から理解できるように、リアブロック１４は、ベース６の左右外側に位置した前向き腕部１４ａを有しており、前向き腕部１４ａの前端部にリアリンク１５がピンで連結されている。また、リアブロック１４の後部に背支柱１６が固定されており、背支柱１６の上端に背もたれ３を取り付けている。
【００２０】
図３，５に示すように、座２は、座インナーシェル１７の上面にクッション材１８を張って、このクッション材１８を表皮材（図示せず）で上から覆った形態であり、座インナーシェル１７は、座受け体の一例としての座アウターシェル１９に取り付けられている。そして、例えば図４に示すように、座アウターシェル１９が、フロントリンク８及びリアリンク１５に左右横長姿勢のピン２０によって連結されている。従って、座２は、座アウターシェル１９とフロントリンク８及びリアリンク１５を介してベース６で支持されており、人が着座すると、両リンク８，１５がばね力に抗して後ろに倒れ回動し、これにより、座２は後退しつつ下降動する。ベース６の上面には蓋６ｂが固定されており、更に、これらは第１カバー２１で覆われている。
【００２１】
背もたれ３は、前後に開口した背枠４１と、背枠４１の前面に重なった上下のシート保持枠４６，４７と、着座者の体圧を受ける可撓性シート（メッシュ材）４８とを有している。また、既述のとおり、人が着座すると背もたれ３の下端部が前進する。この背もたれ３の前進動は、図６に全体を表示した第１連動リンク３５及び第２連動リンク３６によって行われるもので、第２連動リンク３６の上端と背もたれ３の下端とが、相対回動可能に連結されている。但し、背もたれ３の動きは本願発明と直接の関連はないので、説明は省略する。
【００２２】
(2).ロッキング機構
図５に示すように、リアブロック１４は、傾動体１２の後部に、押さえ板２４を介してビス（図示せず）で固定されている。従って、リアブロック１４は傾動体１２と一体に回動する。図５に示すように、支軸１３には、ロッキングに抵抗を付与するばね手段の一例として、ねじりコイルばね２５が被嵌している。傾動体１２が後傾すると、ねじりコイルばね２５は、その一端と他端との間隔を狭めるように軸心周りに変形し、これにより、ロッキングに対して抵抗が付与される。
【００２３】
例えば図２に示すように、背支柱１６を構成する左右縦フレーム２６の下端は、ブロック状のロアジョイント部１６ａに一体に繋がっており、ロアジョイント部１６ａが、リアブロック１４にビス２８（図５参照）で固定されている。
【００２４】
着座者が背もたれ３にもたれ掛かると、背支柱１６とリアブロック１４と傾動体１２とは、ねじりコイルばね２５を弾性変形させながら、支軸１３を中心にして一体に後傾動する。また、リアリンク１５はリアブロック１４に連結しているので、リアリンク１５もリアブロック１４と一体に動くが、リアリンク１５の取り付け部である前向き腕部１４ａの先端部は、支軸１３よりもある程度の寸法Ｌ（図４参照）だけ少し手前に位置しているため、リアリンク１５は、ロッキングに際して少し上昇する。
【００２５】
従って、ロッキングに対して、ねじりコイルばね２５のみでなく着座者の体重の一部も抵抗として作用する。そして、この着座者の抵抗の大きさは着座者自身の体重に比例するため、ねじりコイルばね２５を大型化することなく、体重に関係なく使用者に適度のロッキング抵抗を得ることができる。つまり、ロッキングに対する抵抗が、着座者した人の体重に自動的に比例する（体重感応する）のであり、このため、ねじりコイルばね２５を小型化できる。
【００２６】
図４に示すように、リアブロック１４及びリアジョイント部１６ａの上面は、左右一対の第２カバー３１で覆われている。背支柱１６は、樹脂製又はアルミダイキャスト製である。同様に、フロントブロック６及びリアブロック１４も、脂製又はアルミダイキャスト製である。
【００２７】
(3).座インナーシェル・座アウターシェル
座インナーシェル１７と座アウターシェル１９とは、図７，８で明示している。座インナーシェル１７と座アウターシェル１９とはいずれも樹脂の成形品であり、平面視でほぼ同じ形状・大きさになっている。図８（Ｂ）に示すように、座アウターシェル１９の下面の左右両側部には、フロントリンク８が連結されるフロント軸受け部４０と、リアリンク１５が連結されるリア軸受け部４１とが下向きに突設されている。
【００２８】
図７（Ａ）に示すように、座インナーシェル１７の左右両側部には、座インナーシェル１７を支持するフロントサイドリブ４２と、リア支持突起４３とを突設している。フロントサイドリブ４２は前端よりも少し後ろに位置しており、リア支持突起４３は前後中間部よりも少し後ろに配置されている。
【００２９】
座インナーシェル１７には、リア支持突起４３に対して横ずれ不能に嵌合する重合部４４を形成している。座インナーシェル１７は、左右のリア支持突起４３の間では下方に空間が空いている。このため、座インナーシェル１７は、着座した人の体圧により、下向きに沈み込むように変形し得る。
【００３０】
座アウターシェル１９のうち、左右フロントサイドリブ４２の前端部に連続する左右横長のフロント横長リブ４５が２本形成されている。図８（Ｃ）に示すように、座インナーシェル１７は横長リブ４５によっても支持されている。
【００３１】
図８（Ｂ）に示すように、座インナーシェル１７の左右両端部の後端部には、背面視外向き鉤型の係合爪４６が下向きに突設されている。他方、図７（Ａ）に示すように、座アウターシェル１９の左右両側部の後端部には、係合爪４６が強制嵌合する係合部４７を形成している。係合部４７は、縦長リブに横穴を空けた形態になっている。座インナーシェル１７の後部は、係合爪４６により、座アウターシェル１９に対して上向き抜け不能に位置決めされている。
【００３２】
図８（Ｂ）に示すように、座インナーシェル１７の左右両側部の前端寄り部位には、下向きの筒状ボス４８ａを下向きに突設している。他方、座アウターシェル１９の左右両側部の前端寄り部位には、図７（Ａ）に示すように、筒状ボス４８ａが上から嵌まる筒状のボス受け部４８ｂを形成しており、ボス受け部４８ｂに下方から挿入したねじが筒状ボス４９ａにねじ込まれる。これにより、座インナーシェル１７の前部は座アウターシェル１９に対して離脱不能に固定されている。
【００３３】
図８（Ａ）に示すように、座インナーシェル１７は、着座者の臀部を包むように下向きに緩く膨れている。座アウターシェル１９も、座インナーシェル１７に倣って下向きに緩く膨れている。また、座インナーシェル１７の前部は、着座者の大腿部から逃げるように、最先端に向けて僅かに低くなるように緩く湾曲している。
【００３４】
座インナーシェル１７は、基本的には板の構造であるが、外周部はループ構造の枠部４９で構成されている。枠部４９には、座アウターシェル１９に載る突起５０が多数形成されている。枠部４９のうち前端の部分に符号４９ａを付している。
【００３５】
座インナーシェル１７には、着座者の体圧による伸び変形を容易にするため、クッション性用スリット５１の群が形成されている。クッション性用スリット５１は、左右横長のものと前後長手のもの、略左右横長で左右外側に行くに従って少し手前にずれた傾斜状のものからなっており、左右対称に形成されている。
【００３６】
クッション性用スリット５１の群の前端は、左右の筒状ボス４７を結ぶ線よりも僅かに手前に位置している。そして、クッション性用スリット５１よりも手前に、枠部４９の内周に倣う状態で分断スリット５２が形成されている。分断スリット５２は、左右横長部５２ａと、その左右両端に連続した略前座長手のサイド部５２ｂとから成っている。従って、分断スリット５２は、おおまかには、平面視で後ろ向き開口のコ字状の形態を成しており、分断スリット５２で囲われた舌状部５３を変形許容部と成している。分断スリット５２におけるサイド部５２ｂの後端は、筒状ボス４８ａとほぼ同じ前後位置に至っている。
【００３７】
ロッキング時には、座インナーシェル１７は座アウターシェル１９と一緒に上昇するが、前端４９ａは上昇しても、分断スリット５２で囲われた舌状部５３は、前端４９ａに引かれて上昇することはなくて、図８（Ｃ）に一点鎖線で示すように、曲がり変形によって前端４９ａに対して相対的に下向き回動して使用者の大腿部で押された状態に保持され、上昇することが抑制される。これにより、大腿部の突き上げを抑制できる。図７や図８に示すように、分断スリット５２で形成された舌状部５３（変形許容部）は、座アウターシェル１９による前側の支持部である筒状ボス４８ａよりも前に位置している。
【００３８】
座インナーシェル１７の前端４９ａは座アウターシェル１９と一緒に上昇するが、前端４９ａは着座者の大腿部から逃げるように下方に位置しているため、上昇しても大腿部を突き上げるには至らない。また、舌状部５３が変形することにより、舌状部５３の反力が上向きに作用するが、舌状部５３と大腿部と間にはクッション材１８が介在しているため、反力は広く分散されて、大腿部を突き上げるには至らない。
【００３９】
変形許容部の形成手段として分断スリット５２を採用する場合、分断スリット５２は、平面視横向きＥ形や平面視Ｈ字形とすることも可能である。また、変形許容部の形成手段としては、左右の縦長分断スリットの前端を断面下向き山型のブリッジで繋ぐといったことも採用可能である。
【００４０】
上記の実施形態の椅子は、着座によって背もたれの下端部が前進するタイプであったが、本願発明は、背もたれが前進しないタイプにも当然に適用できる。また、ロッキング時に座が上昇する機構は、各種のものを採用できる。座アウターシェルを使用せずに、座受け金具で座インナーシェルを直接に支持することも可能である。
【産業上の利用可能性】
【００４１】
本願発明は、椅子に具体化できる。従って、産業上利用できる。
【符号の説明】
【００４２】
２  座
３  背もたれ
６  ベース
８  フロントリンク
１４  リアブロック
１５  リアリンク
１７  座インナーシェル
１８  クッション材
１９  座アウターシェル
４８ａ  座アウターシェルに連結される筒状ボス
４８ｂ  座インナーシェルを支持するボス受け部
４９  外周部
４９ａ  座インナーシェルの前端
５２  分断スリット
５２ａ  横長部
５２ｂ  サイド部
５３  舌状部（変形許容部）
【図１】
0006751556.tif 000002
【図２】
0006751556.tif 000003
【図３】
0006751556.tif 000004
【図４】
0006751556.tif 000005
【図５】
0006751556.tif 000006
【図６】
0006751556.tif 000007
【図７】
0006751556.tif 000008
【図８】
0006751556.tif 000009